(57)【要約】【課題】建物の外壁に簡単に固定することができるとともに、簾等を容易に取り付けることができ、極めて使い勝手の良い庇ユニット及び庇組立セットを提供する。【解決手段】一端が建物の外壁Ｗに固定される一方の庇支持部材５と、この一方の庇支持部材５と平行とされた状態で上記建物の外壁Ｗに固定される他方の庇支持部材６と、上記一方及び他方の庇支持部材５，６に支持される庇本体７と、を備え、上記一方の庇支持部材５の内側面とこの内側面に対向する上記他方の庇支持部材６の内側面とのそれぞれには、１つ又は複数のパイプ支持部５ｄ，５ｅが形成され、この又はこれらのパイプ支持部５ｄ，５ｅには、上記一方の庇支持部材５側から他方の庇支持部材６側に亘って１本又は複数本の支持パイプ８，９が支持されてなるとともに、該支持パイプ８，９には、複数のフック１３，１４が取り付けられてなる。【選択図】        図１
2004308187.tif 000002
【特許請求の範囲】
【請求項１】
一端が建物の外壁に固定される一方の庇支持部材と、この一方の庇支持部材と平行とされた状態で上記建物の外壁に固定される他方の庇支持部材と、上記一方及び他方の庇支持部材に支持される庇本体と、を備え、
上記一方の庇支持部材の内側面とこの内側面に対向する上記他方の庇支持部材の内側面とのそれぞれには、１つ又は複数のパイプ支持部が形成され、この又はこれらのパイプ支持部には、上記一方の庇支持部材側から他方の庇支持部材側に亘って支持パイプが支持されてなるとともに、該支持パイプには、複数のフックが取り付けられてなることを特徴とする庇ユニット。
【請求項２】
一端が建物の外壁に固定され内側面には一方のパイプ支持部が形成されてなる一方の庇支持部材と、この一方の庇支持部材と平行とされた状態で上記建物の外壁に固定され内側面には他方のパイプ支持部が形成されてなる他方の庇支持部材と、上記一方及び他方の庇支持部材に支持される庇本体と、上記一方のパイプ支持部と他方のパイプ支持部とに支持されるパイプと、上記一方及び他方の庇支持部材を壁面に固定するための固定具と、が包装材に収納されてなることを特徴とする庇組立セット。
【発明の詳細な説明】
【０００１】
【発明が属する技術分野】
本発明は、建物の外壁に固定される庇ユニット及び庇組立セットに関するものである。
【０００２】
【従来の技術】
従来、例えば、戸建住宅のような建物には、建築設計時において予め庇を設ける場合があるが、経費の関係又はその他の理由から庇を設けない場合もある。しかしながら、このように、当初は予め庇を設けない場合であっても、日差しを遮る必要性を感じ、後になって庇を設けたい場合がある。こうした建物の完成後に必要に応じて該建物に固定することができる庇ユニットとしては、従来、一方及び他方の庇支持部材と、これらの庇支持部材に固定される庇本体を構成要素とするものが開示されている（例えば、特許文献１参照。）。
【０００３】
【特許文献１】
特開２００１−１５９２０９号
【０００４】
【発明が解決しようとする課題】
しかしながら、上記特許文献１に開示された庇ユニットでは、建築物の外壁に固定することはできるが、固定された庇には、簾等を取り付けることができない。
【０００５】
そこで、本発明は、上記従来の庇ユニットが有する課題を解決するために提案されたものであって、建物の外壁に簡単に固定することができるとともに、簾等を容易に取り付けることができ、極めて使い勝手の良い庇ユニット及び庇組立セットを提供することを目的とするものである。
【０００６】
【課題を解決するための手段】
本発明は、上記目的を達成するために提案されたものであって、第１の発明（請求項１記載の発明）は、庇ユニットに係るものであって、一端が建物の外壁に固定される一方の庇支持部材と、この一方の庇支持部材と平行とされた状態で上記建物の外壁に固定される他方の庇支持部材と、上記一方及び他方の庇支持部材に支持される庇本体と、を備え、上記一方の庇支持部材の内側面とこの内側面に対向する上記他方の庇支持部材の内側面とのそれぞれには、１つ又は複数のパイプ支持部が形成され、この又はこれらのパイプ支持部には、上記一方の庇支持部材側から他方の庇支持部材側に亘って支持パイプが支持されてなるとともに、該支持パイプには、複数のフックが取り付けられてなることを特徴とするものである。
【０００７】
この第１の発明では、上記一方の庇支持部材の内側面とこの内側面に対向する上記他方の庇支持部材の内側面とのそれぞれには、１つ又は複数のパイプ支持部が形成され、この又はこれらのパイプ支持部には、上記一方の庇支持部材側から他方の庇支持部材側に亘って１本又は複数本の支持パイプが支持されてなるとともに、該支持パイプには、複数のフックが取り付けられてなることから、これらのフックを利用することにより、簾等を簡単に取り付けることが極めて使い勝手の良いものとすることができる。また、一旦建物の外壁に固定された庇ユニットは、上記一方及び他方の庇支持部材を外壁から取り外すことにより、他の位置に固定することもできる。
【０００８】
また、第２の発明（請求項２記載の発明）は、庇組立セットに係るものであって、一端が建物の外壁に固定され内側面には一方のパイプ支持部が形成されてなる一方の庇支持部材と、この一方の庇支持部材と平行とされた状態で上記建物の外壁に固定され内側面には他方のパイプ支持部が形成されてなる他方の庇支持部材と、上記一方及び他方の庇支持部材に支持される庇本体と、上記一方のパイプ支持部と他方のパイプ支持部とに支持されるパイプと、上記一方及び他方の庇支持部材を壁面に固定するための固定具と、が包装材に収納されてなることを特徴とするものである。
【０００９】
この第２の発明によれば、包装材に収納された上記一方及び他方の庇支持部材等の部品を購入することにより、特別な熟練を要することなく、誰でも簡単に建物の外壁に固定することができる。
【００１０】
【発明の実施の形態】
以下、本発明の一実施の形態に係る庇組立セット及びこの庇組立セットにより組み立てられた庇ユニットを、図面を参照しながら詳細に説明する。
【００１１】
この庇組立セット１は、図１に示すように、箱状に成形された包装材２と、この包装材２に収納された庇ユニット用のパーツ（符号は省略する。）からなるものである。上記包装材２は、段ボール紙により成形された箱体部３と、この箱体部３を構成する背面起立部３ａと連続してなる蓋部４とから構成されている。上記箱体部３は、後述する庇本体の長さ幅と略同じ面積となされた底板部３ｂと、この底板部３ｂの左端から起立してなる左起立部３ｃと、上記底板部３ｂの右端から起立してなる右起立部３ｄと、上記底板部３ｂの前端から起立してなる正面起立部３ｅと、上記底板部３ｂの後端から起立してなる上記背面起立部３ａとから構成されている。また、上記蓋部４は、上記底板部３ｂの面積と同一の面積と同一の面積となされた蓋板部４ａと、この蓋板部４ａの上端に形成され該蓋板部４ａにより上記箱体部３の開口（符号は省略する。）を閉塞した際に、上記正面起立部３ｅの内側面と平行となるように折り込まれてなるフラップ４ｂとから構成されている。
【００１２】
そして、この包装材２内には、図示しない建物の外壁面に一端が固定される一方及び他方の庇支持部材５，６と、庇本体７と、第１及び第２の水平パイプ８，９と、複数本のネジ１０が収納されている。
【００１３】
上記一方の庇支持部材５は、鉄，アルミニウム等の金属又は樹脂により成形されてなるものであり、一端側から他端側にかけて徐々に幅が狭くされてなり側面形状が略台形状に成形された支持板部５ａと、この支持板部５ａの一端に形成されてなり図示しない外壁に固定される第１の固定片５ｂと、上記支持板部５ａの上端に形成されてなり庇本体７が固定される第２の固定片５ｃを備えている。そして、上記支持板部５ａの下端側には、側面形状がＵ字状に成形された第１のパイプ支持部５ｄと、この第１のパイプ支持部５ｄの隣に形成され該第１のパイプ支持部５ｄと同一形状とされた第２のパイプ支持部５ｅとを有する。また、上記第１の固定片５ｂには、３つのネジ孔５ｆが穿設され、また、上記第２の固定片５ｃにも３つのネジ孔５ｇが穿設されている。また、上記他方の庇支持部材６は、上記一方の庇支持部材５と線対称に成形されてなるものであり、上記支持板部５ａと同一形状に成形された支持板部６ａと、図示しない外壁に固定される第１の固定片６ｂと、庇本体７が固定される第２の固定片６ｃを備え、上記一方の庇支持部材５を構成する支持板部５ａの内側面に対向する面（内側面）には、上記第１及び第２のパイプ支持部５ｄ，５ｅと同一の形状となされた図示しないパイプ支持部が形成されている。
【００１４】
また、上記庇本体７は、図２に示すように、長方形状の板状に成形された庇部７ａと、この庇部７ａの先端側中途部から垂直に垂下してなる正面垂下片７ｂと、上記庇部７ａの左端から垂下してなる図示しない左垂下片と、上記庇部７ａの右端から垂下してなる右垂下片７ｃ（図１参照）と、上記庇部７ａの後端から垂直に垂下してなる背面垂下片７ｄと、上記庇部７ａの下面に固定された木製の板部７ｅとから構成されている。上記庇部７ａの上面は、図１に示すように、複数の板から構成されているような外観となるような模様が施されている。
【００１５】
また、上記第１及び第２の水平パイプ８，９は、アルミニウム等の金属により円筒状に成形されてなるとともに、上記庇本体７の長さと略同じ長さとされている。また、上記包装材２内には、図２に示すように、上記一方の庇支持部材５を建物の外壁Ｗに固定するネジ１０と、上記他方の庇支持部材６を外壁に固定する図示しないネジと、該一方の庇支持部材５（を構成する第２の固定片５ｃ）と上記庇支持部材７（を構成する板部７ｅ）とを固定するネジ１１と、上記他方の庇支持部材６（を構成する第２の固定片６ｃ）上記庇支持部材７（を構成する板部７ｅ）とを固定する図示しないネジとが収納されている。
【００１６】
そして、さらにこの包装材２内には、図１に示すように、上記第１の水平パイプ８が内部に挿通される第１及び第２のフック１３，１３と、上記第２の水平パイプ９が内部に挿通される第３及び第４のフック１４、１４が収納されている。これら第１乃至第４のフック１３，１４は、それぞれ同一の形状に成形されてなるものであり、上記第１又は第２の水平パイプ８，９が挿通されるリング部１３ａ，１４ａと、このリング部１３ａ，１４ａの下方に形成された円弧状の掛止部１３ｂ，１４ｂとから構成されている。これら掛止部１３ｂ，１４ｂは、図３に示すように、簾Ｓを掛止するものである。
【００１７】
上述した実施の形態に係る庇組立セット１や、この庇組立セット１により組み立てられた庇ユニット（符号は省略する。）によれば、熟練を要することなく、誰でも簡単に建物の外壁Ｗに固定することができ、日差しを遮ることができるばかりではなく、上記フック１３，１４を用いることにより、簡単に簾を掛止させることができる。
【００１８】
なお、上記実施の形態に係る庇組立セット１では、一方及び他方の庇支持部材５，６の内側面に、それぞれ第１及び第２のパイプ支持部５ｄ，５ｅを形成し、第１及び第２の水平パイプ８，９を支持することができるように構成したが、本発明を構成するパイプ支持部は、このように、必ずしも、２つ形成する必要はなく、１つであっても良いのは勿論、３つ以上の図示しないパイプ支持部が形成され、図示しない３つの水平パイプが支持されるように構成されたものであっても良い。また、上記実施の形態に係る庇組立セット１では、全部で４つのフックが収納されている例を示したが、本発明に係る庇組立セットでは、少なくとも２つのフックが収納されていれば良く、また庇ユニットにおいては、少なくとも２つのフックが支持パイプに取り付けられていれば良い。また、上記実施の形態に係る庇組立セット１では、本発明を構成する包装材として、箱体部３と蓋部４とからなるものを図示して説明したが、本発明を構成する上記包装材は、必ずしも、こうした構成ではなく、図示しない箱体と蓋体とが別体に成形されたものであっても良い。
【００１９】
【発明の効果】
上述のように、本発明（請求項１記載の発明）に係る庇ユニットでは、上記一方の庇支持部材の内側面とこの内側面に対向する上記他方の庇支持部材の内側面とのそれぞれには、１つ又は複数のパイプ支持部が形成され、この又はこれらのパイプ支持部には、上記一方の庇支持部材側から他方の庇支持部材側に亘って１本又は複数本の支持パイプが支持されてなるとともに、該支持パイプには、複数のフックが取り付けられてなることから、これらのフックを利用することにより、簾等を簡単に取り付けることが極めて使い勝手の良いものとすることができる。また、一旦建物の外壁に固定された庇ユニットは、上記一方及び他方の庇支持部材を外壁から取り外すことにより、他の位置に固定することもできる。
【００２０】
また、第２の発明（請求項２記載の発明）によれば、包装材に収納された上記一方及び他方の庇支持部材等の部品を購入することにより、特別な熟練を要することなく、誰でも簡単に建物の外壁に固定することができる。
【図面の簡単な説明】
【図１】本発明の一実施の形態に係る庇組立セットを示す分解斜視図である。
【図２】図１に示す庇組立セットを使用して組み立てられた庇ユニットが外壁に固定された状態を示す断面図である。
【図３】庇ユニットに簾が掛止された状態を示す斜視図である。
【符号の説明】
１    庇組立セット
２    包装材
５    一方の庇支持部材
５ｄ    第１のパイプ支持部
５ｅ    第２のパイプ支持部
６    他方の庇支持部材
７    庇本体
８    第１の水平パイプ
９    第２の水平パイプ
１３，１４    フック
Ｓ    簾
Ｗ    外壁
【図１】
2004308187.tif 000003
【図２】
2004308187.tif 000004
【図３】
2004308187.tif 000005